【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
送信要求を受け付けていない電子書籍の内容の一部が閲覧可能である当該電子書籍のファイルよりもサイズが小さな閲覧用ファイルの送信要求を情報処理端末から受信した場合に、当該送信要求に応じて、当該閲覧用ファイルを、前記情報処理端末に送信する閲覧用ファイル送信手段と、
前記閲覧用ファイルの前記情報処理端末への送信後に、当該閲覧用ファイルによって内容の一部が閲覧可能である電子書籍のファイルを、当該電子書籍の購入前は当該電子書籍の内容の少なくとも一部の閲覧が制限され、当該電子書籍の購入後は当該少なくとも一部が閲覧可能となる状態で前記情報処理端末に送信する電子書籍ファイル送信手段と、
を含むことを特徴とする電子書籍提供サーバ。
【請求項２】
購入される可能性が高い電子書籍を予測すると共に、当該電子書籍が購入された場合に当該電子書籍の閲覧に使用される情報処理端末を予測する予測手段、をさらに含み、
前記電子書籍ファイル送信手段は、購入される可能性が高いと予測される電子書籍のファイルであって、送信要求を受け付けていない電子書籍のファイルを、前記状態で前記情報処理端末に送信する、
ことを特徴とする請求項１に記載の電子書籍提供サーバ。
【請求項３】
前記電子書籍ファイル送信手段は、購入される可能性が高いと予測される電子書籍のファイルの前記情報処理端末への送信を、前記閲覧用ファイルの前記情報処理端末での表示の終了後に開始する、
ことを特徴とする請求項２に記載の電子書籍提供サーバ。
【請求項４】
前記予測手段は、前記情報処理端末のユーザによる前記電子書籍提供サーバの利用履歴に登録された電子書籍の他の巻である電子書籍、又は、当該利用履歴に登録された電子書籍と著者が同じである電子書籍を、購入される可能性が高い電子書籍として予測する、
ことを特徴とする請求項２又は３に記載の電子書籍提供サーバ。
【請求項５】
ギフトの贈り主となるユーザの情報処理端末から、ギフトの候補となる電子書籍及びギフトの贈り先となるユーザの指定を受信する指定受信手段と、
ギフトの候補として指定される電子書籍のファイルであって、ギフトの贈り先として指定されるユーザの情報処理端末から送信要求を受け付けていない電子書籍のファイルを、当該電子書籍の購入前は当該電子書籍の内容の少なくとも一部の閲覧が制限され、当該電子書籍の購入後は当該少なくとも一部が閲覧可能となる状態で、前記ギフトの贈り主となるユーザの情報処理端末を経由せずに前記ギフトの贈り先として指定されるユーザの情報処理端末に送信する電子書籍ファイル送信手段と、
を含むことを特徴とする電子書籍提供サーバ。
【請求項６】
ギフトの贈り先となるユーザの情報処理端末に、ギフトの候補として指定される電子書籍に対応する情報が表示されるよう制御する表示制御手段と、
前記ギフトの贈り先となるユーザによる前記表示される情報の選択に応じて、前記ギフトの贈り主となるユーザに当該情報に対応する電子書籍が指定された旨を通知する通知手段と、をさらに含み、
前記電子書籍が指定された旨が通知された前記ギフトの贈り主となるユーザによる承諾に応じて実行される当該電子書籍の決済処理の終了後に、選択された情報に対応する電子書籍の内容が前記ギフトの贈り先となるユーザの情報処理端末で閲覧可能となる、
ことを特徴とする請求項５に記載の電子書籍提供サーバ。
【請求項７】
前記電子書籍ファイル送信手段は、購入前は、前記情報処理端末のユーザによって指定される部分又は他のユーザにより引用された部分に基づいて特定される部分以外の内容の閲覧が制限される前記状態で、前記電子書籍のファイルを前記情報処理端末に送信する、
ことを特徴とする請求項１から６のいずれか一項に記載の電子書籍提供サーバ。
【請求項８】
前記電子書籍ファイル送信手段は、購入される可能性が高いと予測される電子書籍のファイルを、前記電子書籍提供サーバと送信先の情報処理端末との間の通信のトラフィック量が所定量より小さい際、又は、送信先の情報処理端末の負荷の大きさを示す値が所定値より小さい際に、前記情報処理端末に送信する、
ことを特徴とする請求項１から７のいずれか一項に記載の電子書籍提供サーバ。
【請求項９】
前記電子書籍ファイル送信手段は、前記情報処理端末が備える記憶部の空き容量に基づいて、前記電子書籍のファイルを送信するか否かを決定する、
ことを特徴とする請求項１から８のいずれか一項に記載の電子書籍提供サーバ。
【請求項１０】
前記情報処理端末が備える記憶部の空き容量に基づいて、前記情報処理端末に送信された電子書籍のファイルのうち購入要求を受け付けていないものについて削除するか否かを判断する手段、をさらに含む、
ことを特徴とする請求項１から９のいずれか一項に記載の電子書籍提供サーバ。
【請求項１１】
電子書籍のファイルを、当該電子書籍の購入前は当該電子書籍の内容の少なくとも一部の閲覧が制限され、当該電子書籍の購入後は当該少なくとも一部が閲覧可能となる状態で、情報処理端末に送信する電子書籍ファイル送信手段、を含み、
前記情報処理端末との間の通信が行えない状況で、前記情報処理端末が内容の少なくとも一部の閲覧が制限されている電子書籍を購入する旨の入力を受け付ける場合に、当該少なくとも一部が閲覧可能となるよう制御され、
前記情報処理端末が前記購入する旨の入力を受け付けた後に、前記電子書籍提供サーバと前記情報処理端末との間の通信が可能となった際に、当該電子書籍の購入要求を前記情報処理端末から受け付け、当該購入要求に応じた決済処理を実行する決済処理実行手段、をさらに含む、
ことを特徴とする電子書籍提供サーバ。
【請求項１２】
送信要求を受け付けていない電子書籍の内容の一部が閲覧可能である当該電子書籍のファイルよりもサイズが小さな閲覧用ファイルの送信要求を情報処理端末から受信した場合に、当該送信要求に応じて、当該閲覧用ファイルを、前記情報処理端末に送信する閲覧用ファイル送信ステップと、
前記閲覧用ファイルの前記情報処理端末への送信後に、当該閲覧用ファイルによって内容の一部が閲覧可能である電子書籍のファイルを、当該電子書籍の購入前は当該電子書籍の内容の少なくとも一部の閲覧が制限され、当該電子書籍の購入後は当該少なくとも一部が閲覧可能となる状態で前記情報処理端末に送信する電子書籍ファイル送信ステップと、
を含むことを特徴とする電子書籍送信方法。
【請求項１３】
ギフトの贈り主となるユーザの情報処理端末から、ギフトの候補となる電子書籍及びギフトの贈り先となるユーザの指定を受信する指定受信手段と、
ギフトの候補として指定される電子書籍のファイルであって、ギフトの贈り先として指定されるユーザの情報処理端末から送信要求を受け付けていない電子書籍のファイルを、当該電子書籍の購入前は当該電子書籍の内容の少なくとも一部の閲覧が制限され、当該電子書籍の購入後は当該少なくとも一部が閲覧可能となる状態で、前記ギフトの贈り主となるユーザの情報処理端末を経由せずに前記ギフトの贈り先として指定されるユーザの情報処理端末に送信する電子書籍ファイル送信手段と、
を含むことを特徴とする電子書籍送信方法。
【請求項１４】
電子書籍のファイルを、当該電子書籍の購入前は当該電子書籍の内容の少なくとも一部の閲覧が制限され、当該電子書籍の購入後は当該少なくとも一部が閲覧可能となる状態で、情報処理端末に送信する電子書籍ファイル送信ステップ、を含み、
前記情報処理端末との間の通信が行えない状況で、前記情報処理端末が内容の少なくとも一部の閲覧が制限されている電子書籍を購入する旨の入力を受け付ける場合に、当該少なくとも一部が閲覧可能となるよう制御され、
前記情報処理端末が前記購入する旨の入力を受け付けた後に、前記電子書籍提供サーバと前記情報処理端末との間の通信が可能となった際に、当該電子書籍の購入要求を前記情報処理端末から受け付け、当該購入要求に応じた決済処理を実行する決済処理実行ステップ、をさらに含む、
ことを特徴とする電子書籍送信方法。
【請求項１５】
送信要求を受け付けていない電子書籍の内容の一部が閲覧可能である当該電子書籍のファイルよりもサイズが小さな閲覧用ファイルの送信要求を情報処理端末から受信した場合に、当該送信要求に応じて、当該閲覧用ファイルを、前記情報処理端末に送信する閲覧用ファイル送信手段、
前記閲覧用ファイルの前記情報処理端末への送信後に、当該閲覧用ファイルによって内容の一部が閲覧可能である電子書籍のファイルを、当該電子書籍の購入前は当該電子書籍の内容の少なくとも一部の閲覧が制限され、当該電子書籍の購入後は当該少なくとも一部が閲覧可能となる状態で前記情報処理端末に送信する電子書籍ファイル送信手段、
としてコンピュータを機能させることを特徴とするプログラム。
【請求項１６】
ギフトの贈り主となるユーザの情報処理端末から、ギフトの候補となる電子書籍及びギフトの贈り先となるユーザの指定を受信する指定受信手段、
ギフトの候補として指定される電子書籍のファイルであって、ギフトの贈り先として指定されるユーザの情報処理端末から送信要求を受け付けていない電子書籍のファイルを、当該電子書籍の購入前は当該電子書籍の内容の少なくとも一部の閲覧が制限され、当該電子書籍の購入後は当該少なくとも一部が閲覧可能となる状態で、前記ギフトの贈り主となるユーザの情報処理端末を経由せずに前記ギフトの贈り先として指定されるユーザの情報処理端末に送信する電子書籍ファイル送信手段、
としてコンピュータを機能させることを特徴とするプログラム。
【請求項１７】
電子書籍のファイルを、当該電子書籍の購入前は当該電子書籍の内容の少なくとも一部の閲覧が制限され、当該電子書籍の購入後は当該少なくとも一部が閲覧可能となる状態で、情報処理端末に送信する電子書籍ファイル送信手段、としてコンピュータを機能させ、
前記情報処理端末との間の通信が行えない状況で、前記情報処理端末が内容の少なくとも一部の閲覧が制限されている電子書籍を購入する旨の入力を受け付ける場合に、当該少なくとも一部が閲覧可能となるよう制御され、
前記情報処理端末が前記購入する旨の入力を受け付けた後に、前記電子書籍提供サーバと前記情報処理端末との間の通信が可能となった際に、当該電子書籍の購入要求を前記情報処理端末から受け付け、当該購入要求に応じた決済処理を実行する決済処理実行手段、として前記コンピュータをさらに機能させる、
ことを特徴とするプログラム。